【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
タッチパネル用基材と、硬化膜とを備える硬化膜付きタッチパネル用基材の製造方法であって、
前記タッチパネル用基材が、電極を有するセンシング領域と、前記センシング領域よりも外側に位置すると共に、前記電極に電気的に接続された金属配線を有する領域と、を備え、
前記製造方法が、タッチパネル用基材上に、ジシクロペンタニル構造又はジシクロペンテニル構造を有するジ（メタ）アクリレート化合物を含有する感光性樹脂組成物を含む感光性樹脂組成物層を設け、前記感光性樹脂組成物層の所定部分を活性光線の照射により硬化させた後に前記所定部分以外を除去し、前記感光性樹脂組成物の硬化膜を少なくとも前記金属配線上に形成する工程を備える、硬化膜付きタッチパネル用基材の製造方法。
【請求項２】
前記ジシクロペンタニル構造又はジシクロペンテニル構造を有するジ（メタ）アクリレート化合物が、下記一般式（１）で表される化合物である請求項１に記載の硬化膜付きタッチパネル用基材の製造方法。
【化１】
2015121929.tif 000001
［一般式（１）中、Ｘは、ジシクロペンタニル構造又はジシクロペンテニル構造を示す。Ｒは、それぞれ独立に炭素数１〜４のアルキレン基を示す。Ｒ１、Ｒ２は、水素原子又はメチル基を示す。ｎ、ｍは０〜２を示す。ｐ＋ｑ＝０〜１０を示す。］
【請求項３】
前記ジシクロペンタニル構造又はジシクロペンテニル構造を有するジ（メタ）アクリレート化合物が、ジメチロールトリシクロデカンジ（メタ）アクリレート又はトリシクロデカンジオールジ（メタ）アクリレートである請求項１又は２に記載の硬化膜付きタッチパネル用基材の製造方法。
【請求項４】
前記感光性樹脂組成物がバインダーポリマーを含有し、
前記バインダーポリマーが、（メタ）アクリル酸に由来する構成単位、及び、（メタ）アクリル酸アルキルエステルに由来する構成単位を有する共重合体を含む、請求項１〜３のいずれか一項に記載の硬化膜付きタッチパネル用基材の製造方法。
【請求項５】
前記感光性樹脂組成物がバインダーポリマーを含有し、
前記バインダーポリマーの酸価が７５ｍｇＫＯＨ／ｇ以上である、請求項１〜４のいずれか一項に記載の硬化膜付きタッチパネル用基材の製造方法。
【請求項６】
前記感光性樹脂組成物が、トリアゾール化合物、チアジアゾール化合物、及びテトラゾール化合物からなる群より選択される少なくとも１種の化合物をさらに含有する、請求項１〜５のいずれか一項に記載の硬化膜付きタッチパネル用基材の製造方法。
【請求項７】
前記感光性樹脂組成物がオキシムエステル化合物を含有する、請求項１〜６のいずれか一項に記載の硬化膜付きタッチパネル用基材の製造方法。
【請求項８】
前記感光性樹脂組成物層の厚みが１０μｍ以下である、請求項１〜７のいずれか一項に記載の硬化膜付きタッチパネル用基材の製造方法。
【請求項９】
前記感光性樹脂組成物層の厚みが９μｍ以下である、請求項１〜７のいずれか一項に記載の硬化膜付きタッチパネル用基材の製造方法。
【請求項１０】
電極を有するセンシング領域と、前記センシング領域よりも外側に位置すると共に、前記電極に電気的に接続された金属配線を有する領域と、を備えるタッチパネル用基材において、少なくとも前記金属配線上に硬化膜を形成するための感光性樹脂組成物であって、
（Ａ）成分：バインダーポリマー、（Ｂ）成分：光重合性化合物、（Ｃ）成分：光重合開始剤と、を含有し、
前記（Ｂ）成分が、ジシクロペンタニル構造又はジシクロペンテニル構造を有するジ（メタ）アクリレート化合物を含有する、感光性樹脂組成物。
【請求項１１】
前記ジシクロペンタニル構造又はジシクロペンテニル構造を有するジ（メタ）アクリレート化合物が、下記一般式（１）で表される化合物である請求項１０に記載の感光性樹脂組成物。
【化２】
2015121929.tif 000002
［一般式（１）中、Ｘは、ジシクロペンタニル構造又はジシクロペンテニル構造を示す。Ｒは、それぞれ独立に炭素数１〜４のアルキレン基を示す。Ｒ１、Ｒ２は、水素原子又はメチル基を示す。ｎ、ｍは０〜２を示す。ｐ＋ｑ＝０〜１０を示す。］
【請求項１２】
前記ジシクロペンタニル構造又はジシクロペンテニル構造を有するジ（メタ）アクリレート化合物が、ジメチロールトリシクロデカンジ（メタ）アクリレート又はトリシクロデカンジオールジ（メタ）アクリレートである請求項１０又は１１に記載の感光性樹脂組成物。
【請求項１３】
前記（Ａ）成分が、（メタ）アクリル酸に由来する構成単位、及び、（メタ）アクリル酸アルキルエステルに由来する構成単位を有する共重合体を含む、請求項１０〜１２のいずれか一項に記載の感光性樹脂組成物。
【請求項１４】
前記（Ａ）成分の酸価が７５ｍｇＫＯＨ／ｇ以上である、請求項１０〜１３のいずれか一項に記載の感光性樹脂組成物。
【請求項１５】
前記感光性樹脂組成物が、トリアゾール化合物、チアジアゾール化合物、及びテトラゾール化合物からなる群より選択される少なくとも１種の化合物をさらに含有する、請求項１０〜１４のいずれか一項に記載の感光性樹脂組成物。
【請求項１６】
前記（Ｃ）成分がオキシムエステル化合物を含有する、請求項１０〜１５のいずれか一項に記載の感光性樹脂組成物。
【請求項１７】
支持フィルムと、前記支持フィルム上に設けられた請求項１０〜１６のいずれか一項に記載の感光性樹脂組成物を含む感光性樹脂組成物層と、を備える、感光性エレメント。
【請求項１８】
前記感光性樹脂組成物層の厚みが１０μｍ以下である、請求項１７に記載の感光性エレメント。
【請求項１９】
前記感光性樹脂組成物層の厚みが９μｍ以下である、請求項１７に記載の感光性エレメント。
【請求項２０】
タッチパネル用基材と、
請求項１０〜１６のいずれか一項に記載の感光性樹脂組成物の硬化膜、又は、請求項１７〜１９のいずれか一項に記載の感光性エレメントの前記感光性樹脂組成物の硬化膜と、を備え、
前記タッチパネル用基材が、電極を有するセンシング領域と、前記センシング領域よりも外側に位置すると共に、前記電極に電気的に接続された金属配線を有する領域と、を備え、
少なくとも前記金属配線上に前記硬化膜が配置されている、硬化膜付きタッチパネル用基材。
【請求項２１】
請求項２０に記載の硬化膜付きタッチパネル用基材を備える、タッチパネル。
【手続補正２】
【補正対象書類名】明細書
【補正対象項目名】発明の名称
【補正方法】変更
【補正の内容】
【発明の名称】硬化膜付きタッチパネル用基材及びその製造方法、感光性樹脂組成物、感光性エレメント並びにタッチパネル
【手続補正３】
【補正対象書類名】明細書
【補正対象項目名】０１３９
【補正方法】変更
【補正の内容】
【０１３９】
【化１３】
2015121929.tif 000003
（一般式（１）で、ｐ＝ｑ＝０、ｎ＝ｍ＝１、Ｘ＝ジシクロペンタニル基）
Ｔ−１４２０（Ｔ）：ジトリメチロールプロパンテトラアクリレート（日本化薬株式会社製）
Ａ−ＤＯＧ：ジオキサングリコールジアクリレート（新中村化学工業株式会社製）
ＢＰＥ−１００：エトキシ化ビスフェノールＡメタクリレート、ＥＯ２．６ｍｏｌ（新中村化学工業株式会社製）
ＢＰＥ−２００：エトキシ化ビスフェノールＡメタクリレート、ＥＯ４．０ｍｏｌ（新中村化学工業株式会社製）
ＦＡ−３２１Ｍ：ＥＯ変性ビスフェノールＡジメタクリレート、ＥＯ１０ｍｏｌ（日立化成株式会社製）